(57)【要約】      （修正有）【課題】球面滑り軸受けを交換する必要がある場合に、他のいずれの部品の交換も要求しない球面滑り軸受け及びハウジングアッセンブリを提供する。【解決手段】球面滑り軸受け３０において、外輪３４の長さに沿った一方の端部に配置される第１の肩部３６、並びに、外輪３４の長さに沿った他方の端部に配置される第２の肩部３８を規定する外周面を有している。第２の端部は、ハウジング４２の壁面に第１、第２の肩部３６，３８が押圧嵌合されるサイズとされるように、第１の端部の略反対側に配置されている。ハウジング４２の壁面は、球面滑り軸受け３０が内部に配置される穴部を規定している。また、外輪３４の外周面は、その第１の遠心端で外周面から径方向の外側に延在する第１の支持縁４４、並びに、外周面における第１の遠心端の略反対側の第２の遠心端で外周面から径方向の外側に延在する第２の支持縁４６を規定している。【選択図】図３
2007255711.tif 000002
【特許請求の範囲】
【請求項１】
内輪と、
ある長さを有すると共に、前記長さに沿って第１の端部に配置される第１の肩部及び前記長さに沿って第２の端部に配置される第２の肩部を規定し、前記第２の端部が前記第１の端部と略反対側であり、前記第１及び第２の肩部がハウジングの壁面に押圧嵌合するサイズとされ、前記ハウジングの壁面が、球面滑り軸受けが内部に配置される穴を規定する外周面を有する外輪とで構成される球面滑り軸受けであって、
前記外周面は、その第１の遠心端で当該外周面から径方向の外側に延在する第１の支持縁、並びに、前記第１の遠心端と略反対側の第２の遠心端で前記外周面から径方向の外側に延在する第２の支持縁を規定する球面滑り軸受け。
【請求項２】
前記外輪は、第１の対向面、並びに、前記第１の対向面の略反対側であって、当該第１の対向面と実質的に平行である第２の対向面を規定し、
前記第１の対向面は、少なくとも部分的に前記第１の支持縁を規定する第１の環状溝を規定し、前記第２の対向面は、少なくとも部分的に前記第２の支持縁を規定する第２の環状溝を規定する請求項１記載の球面滑り軸受け。
【請求項３】
前記内輪が拡張された請求項１記載の球面滑り軸受け。
【請求項４】
前記第１の肩部が第１の長さを規定し、前記第２の肩部が第２の長さを規定し、当該第１及び第２の長さが実質的に同一である請求項１記載の球面滑り軸受け。
【請求項５】
前記外輪の長さがＬ１で定義され、前記第１及び第２の肩部の間の距離がＬ２で定義され、前記第１及び第２の肩部の長さは、それぞれ（Ｌ１−Ｌ２）／２で定義される請求項４記載の球面滑り軸受け。
【請求項６】
前記第１の肩部で特定される第１の直径は、前記第２の肩部で特定される第２の直径と実質的に同一である請求項１記載の球面滑り軸受け。
【請求項７】
前記第１及び第２の溝は、Ｖ字形状を有する請求項２記載の球面滑り軸受け。
【請求項８】
内輪と、
ある長さを有すると共に、前記長さに沿って第１の端部に配置される第１の肩部及び前記長さに沿って第２の端部に配置される第２の肩部を規定し、前記第２の端部が前記第１の端部と略反対側であり、前記第１、第２の肩部がハウジングの壁面に押圧嵌合するサイズとされ、前記ハウジングの壁面が、球面滑り軸受けが内部に配置される穴を規定する外周面を有する外輪とを含む球面滑り軸受けであって、
前記外周面は、その第１の遠心端で当該外周面から径方向の外側に延在する第１の支持縁、並びに、前記第１の遠心端と略反対側の第２の遠心端で前記外周面から径方向に外側に延在する第２の支持縁を規定する球面滑り軸受けと、
ハウジングの少なくとも一部に延在し、壁面を規定する穴を含み、前記穴の壁面が、第１の支持機構を規定する第１の遠心端と、当該第１の遠心端の略反対側の第２の遠心端を有し、前記第２の遠心端が第２の支持機構を規定するハウジングとで構成される球面滑り軸受け及びハウジングであって、
前記球面滑り軸受け及びハウジングのアッセンブリの際、前記球面滑り軸受けは、第１及び第２の肩部が前記穴の壁面に押圧嵌合し、第１の支持縁が第１の支持機構の周辺に配置されると共に、第２の指示縁が第２の支持機構の周辺に配置されるように穴内に配置され、前記第１の支持縁が前記第１の支持機構と接触して動かされ、前記第２の支持縁が前記第２の支持機構と接触させることで、前記球面滑り軸受けが前記穴内に保持される球面滑り軸受け及びハウジング。
【請求項９】
前記第１及び第２の支持機構が面であり、前記第１及び第２の支持縁のそれぞれによって規定される合わせ面が前記第１及び第２の面に対応する形状である請求項８記載の球面滑り軸受け及びハウジング。
【請求項１０】
前記第１の肩部が第１の長さを特定し、前記第２の肩部が第２の長さを特定し、当該第１及び第２の長さが実質的に同一である請求項８記載の球面滑り軸受け及びハウジング。
【請求項１１】
前記外輪の長さがＬ１で定義され、前記第１、第２の肩部の間の距離がＬ２で定義され、前記第１及び第２の肩部の長さＬＳ１及びＬＳ２は、それぞれ（Ｌ１−Ｌ２）／２で定義される請求項１０記載の球面滑り軸受け及びハウジング。
【請求項１２】
前記第１の肩部で特定される第１の直径は、前記第２の肩部で特定される第２の直径と実質的に同一である請求項８記載の球面滑り軸受け及びハウジング。
【請求項１３】
前記外輪は、第１の対向面、並びに、前記第１の対向面の略反対側であって、当該第１の対向面と実質的に平行である第２の対向面を規定し、
前記第１の対向面は、少なくとも部分的に前記第１の支持縁を規定する第１の環状溝を規定し、前記第２の対向面は、少なくとも部分的に前記第２の支持縁を規定する第２の環状溝を規定する請求項８記載の球面滑り軸受け及びハウジング。
【請求項１４】
前記第１、第２の溝は、Ｖ字形状を有する請求項１３記載の球面滑り軸受け及びハウジング。
【発明の詳細な説明】
【技術分野】
【０００１】
本発明は、概して球面滑り軸受けに関し、特に、ハウジングと支持縁とを押圧嵌合するための肩部を用いて軸受けをハウジング内の適切な位置に保持する球面滑り軸受けに関する。
【背景技術】
【０００２】
球面滑り軸受けは、軸受け及び適用物のデザインの制限がある中で、あらゆる方向の内輪の自由な回転を許容する球状の接触面を有している。これにより、球面滑り軸受けは、例えば、不正確な機械加工に起因する位置ずれ、溶接からのフレームの歪み、或いは、静的及び動的な力による負荷による変形を調整するように自己整合される。このような位置ずれは、多量の負荷を端部に発生させ、円筒型のスリーブ滑り軸受けの早期の不具合の原因となる。
【０００３】
図１及び図２は、従来の２つの球面滑り軸受けのアッセンブリを示している。図１は、ログスキッダ用のタイロッドアッセンブリを示しており、全般的に参照番号１０で特定される球面滑り軸受けは、ハウジング１６内に配置される内輪１２及び外輪１４を備えている。１組の止め輪１８は、ハウジング１６内の適切な位置に外輪１４を保持するために用いられている。外輪１４は、実質的に外輪全体の長さに沿ってハウジングに形成された穴の内壁に押圧嵌合されている。
【０００４】
図２は、運搬トラック用のヒンジピンアッセンブリを示している。このアッセンブリは、運搬トラックのベッドとフレームとの間に配置され、内輪２２及び外輪２４を有する球面滑り軸受け２０を備えている。図１に示すアッセンブリと同様に、外輪２４は、実質的にハウジング全体の長さに沿って内輪２２と押圧嵌合されている。また、外輪２４及びハウジング２６は、スペーサ部材２８及び３０によって適切な位置に保持されている。
【０００５】
この種の従来のアッセンブリにおいては、球面滑り軸受けを交換する必要がある場合に、ハウジング及び他の部品も交換しなければならないという問題に直面する。従って、現在、球面滑り軸受け、並びに、球面滑り軸受け／ハウジングアッセンブリにおいては、球面滑り軸受けを交換する必要がある場合に、他のいずれの部品の交換も要求しないものが要請されている。
【０００６】
これらに基づき、本発明の全般的な目的は、従来の問題及び欠点を克服し、或いは、改良する球面滑り軸受け、並びに、球面滑り軸受け及びハウジングアッセンブリを提供することである。
【発明の開示】
【課題を解決するための手段】
【０００７】
本発明は、一形態において、内輪及び外輪を備える球面滑り軸受けを対象とする。外輪は、ある長さを有し、また、外輪の一方の端部に配置される第１の肩部及び外輪における第１の端部の略反対側の第２の端部に配置される第２の肩部を規定する外周面を有している。第１及び第２の肩部は、球面滑り軸受けが内部に配置される穴を規定するハウジングの壁部に押圧嵌合するサイズにされている。
【０００８】
本発明の好ましい実施形態において、外周面は、その第１の遠心端から径方向の外側に延在する第１の支持縁を規定する。第２の支持縁も、外輪における第１の遠心端と略反対側の第２の遠心端における外周面から径方向の外側に延在している。
【０００９】
本発明は、上述した球面滑り軸受けがハウジング内に配置され、用いられる球面滑り軸受け及びハウジングにも存在する。ハウジングは、ハウジングの少なくとも一部に延在し、壁面を規定する穴部を有している。穴部の壁面は、第１の支持機構を規定する第１の遠心端、並びに、第１の遠心端と略反対側の第２の遠心端を有している。第２の遠心端は、第２の支持機構を規定する。球面滑り軸受けは、第１及び第２の肩部が穴部の壁面に押圧嵌合し、第１の支持縁が第１の支持機構の周辺に配置されると共に、第２の指示縁が第２の支持機構の周辺に配置されるように、穴部内に配置される。本発明に係る球面滑り軸受けを安定させるため、第１の支持縁が第１の支持機構と接触して動かされ、第２の支持縁が第２の支持機構と接触させることで、球面滑り軸受けが穴部内に保持される。
【発明を実施するための最良の形態】
【００１０】
図３に示すように、全般的に参照番号３０で特定される球面滑り軸受け及びハウジングアッセンブリは、中心線３５を挟んで対称である内輪３２及び外輪３４を有している。軸部材３６は、例示するために球面滑り軸受け３０を介して延在する場合について示しているが、いくつかの異なる部品の構成要素とすることが可能であり、例えば、タイロッドやヒンジピンなどに限定されるものではない。外輪３４は、ハウジング４２によって規定される穴部の壁面４０に押圧嵌合する、第１、第２の肩部３６、３８を有している。第１、第２の肩部３６、３８は、それぞれ直径Ｄ２及びＤ３で定義される。図示した実施形態において、直径Ｄ２及びＤ３は、実質的に同一であるが、本発明は、これに限定されるものではなく、直径Ｄ２及びＤ３は、本発明の範囲を逸脱することなく異ならせることもできる。第１の肩部３６及び第２の肩部３８の間に、直径Ｄ１で定義される外輪３４の部分が配置されている。直径Ｄ１は、直径Ｄ２及びＤ３よりも小さいため、第１の肩部３６及び第２の肩部３８のみで穴部の壁面４０に接触可能となっている。
【００１１】
図示した実施形態において、外輪３４の長さはＬ１で定義され、第１の肩部３６と第２の肩部３８との間の距離はＬ２で定義される。図示するように、第１、第２の肩部３６、３８の長さは略同一であるため、式（Ｌ１−Ｌ２）／２で定義される。しかしながら、本発明は、これに限定されるものではなく、第１、第２の肩部３６、３８は、本発明の範囲を逸脱することなく、異なる長さにすることが可能である。
【００１２】
外輪３４は、外輪３４における略反対側の遠心端に配置された第１、第２の支持縁４４、４６も規定している。図示した実施形態において、外輪３４は、さらに一部で第１、第２の支持縁を規定する、環状溝５２をそれぞれ規定する第１、第２の対向面４８、５０を規定している。図示した実施形態において、環状溝５２は、Ｖ字形状を有しているが、本発明はこれに限定されるものではない。
【００１３】
ハウジング４２は、第１、第２の支持縁４４、４６に対応する形状を有する起伏面５４を規定している。ハウジング４２内への球面滑り軸受け３０のアッセンブリにおいて、第１、第２の支持縁４４、４６は、起伏面５４に接触させて曲げられ又は動かされ、これにより、ハウジング４２を基準とする位置に外輪３４を解放可能に保持する。図示した実施形態において、解放面５４は、面取りした面の形状で示されているが、本発明はこれに限定されるものではなく、支持機構は、上述した支持縁の形状に対応する、いずれの実用的な形状にすることが可能である。
【００１４】
本発明は、その詳細な実施形態に関して記載されているが、本発明の範囲を逸脱することなく、種々の変更が加えられ、均等物がその要素及び工程に代用され得ると、当業者には理解されるであろう。また、変更は、特徴的な範囲を逸脱することなく本発明の教示に従って、特別な状況に適応して加えられる。それ故、本発明は、上述した詳細な説明における開示された特定の実施形態に限定されるものでなく、上述した説明の範囲に入る全ての実施形態を含むことを意図している。
【図面の簡単な説明】
【００１５】
【図１】球面滑り軸受けを用いた、従来のログスキッダで使用されるタイロッドアッセンブリの部分断面図である。
【図２】球面滑り軸受けを用いた、従来の運搬トラックに使用されるヒンジピンアッセンブリの部分断面図である。
【図３】本発明に従った球面滑り軸受け及びハウジングの部分断面図である。
【図１】
2007255711.tif 000003
【図２】
2007255711.tif 000004
【図３】
2007255711.tif 000005
【外国語明細書】
【発明の名称】      SPHERICAL  PLAIN  BEARING  AND  A  HOUSING  IN  COMBINATION  WITH  A  SPHERICAL  PLAIN  BEARING
【技術分野】
【０００１】
The  present  invention  relates  generally  to  spherical  plain  bearings  and  is  more  particularly  directed  to  a  spherical  plain  bearing  employing  shoulders  for  pressingly  engaging  a  housing  and  staking  lips  to  retain  the  bearing  in  position  within  the  housing.
【背景技術】
【０００２】
Spherical  plain  bearings  have  spherical  contact  surfaces  which  permit  the  inner  ring  to  rotate  freely  in  all  directions  within  the  bearing  and  application  design  constraints.    This  allows  these  bearings  to  self  align,  which  means  for  example,  to  adjust  automatically  to  misalignment  stemming  from  inaccurate  machining,  frame  distortions  from  welding,  or  deformations  due  to  the  imposition  of  static  and  dynamic  forces.    Such  misalignment  would  generate  considerable  end  loading  and  cause  early  failure  of  plain  cylindrical  sleeve  bearings.    
【０００３】
FIGS.  1  and  2  illustrate  two  prior  art  spherical  plain  bearing  assemblies.    FIG.  1  illustrates  a  tie  rod  assembly  for  a  log  skidder  wherein  a  spherical  plain  bearing  generally  designated  by  the  reference  number  10  includes  an  inner  ring  12  and  an  outer  ring  14  positioned  in  a  housing  14.    A  pair  of  retaining  rings  18  is  employed  to  retain  the  outer  ring  14  in  position  in  the  housing  12.    The  outer  ring  14  is  in  pressing  engagement  with  the  bore  wall  of  the  housing  substantially  along  the  entire  length  of  the  outer  ring.
【０００４】
FIG.  2  illustrates  a  hinge  pin  assembly  for  a  haul  truck.    This  assembly  is  located  between  the  bed  and  the  frame  of  the  haul  truck  and  includes  a  spherical  plain  bearing  20  having  an  inner  ring  22  and  an  outer  ring  24.    As  with  the  assembly  of  FIG.  1,  the  outer  ring  24  pressingly  engages  the  inner  ring  22  substantially  along  the  entire  length  of  the  housing.    In  addition,  the  outer  ring  24  and  the  housing  26  are  retained  in  position  by  spacer  members  28  and  30.
【０００５】
A  difficulty  encountered  with  prior  art  assemblies  of  this  type  is  that  when  it  is  necessary  to  replace  the  spherical  plain  bearing,  the  housing  and  other  components  also  must  be  replaced.    Accordingly,  there  is  a  present  need  for  a  spherical  plain  bearing  and  spherical  plain  bearing/housing  assembly  whereby  when  the  spherical  plain  bearing  needs  to  be  replaced,  it  is  not  requisite  that  any  other  components  be  replaced.
【０００６】
Based  on  the  foregoing,  it  is  the  general  object  of  the  present  invention  to  provide  a  spherical  plain  bearing  and  a  spherical  plain  bearing  and  housing  assembly  that  overcomes  or  improves  upon  the  problems  and  drawbacks  of  the  prior  art.
【発明の開示】
【課題を解決するための手段】
【０００７】
The  present  invention  is  directed  in  one  aspect  to  a  spherical  plain  bearing  that  includes  an  inner  ring  and  an  outer  ring.  The  outer  ring  has  a  length  and  an  outer  periphery  that  defines  a  first  shoulder  located  at  one  end  of  the  outer  ring  and  a  second  shoulder  located  at  a  second  end  of  the  outer  ring  generally  opposite  the  first  end.    The  first  and  second  shoulders  are  sized  to  pressingly  engage  a  housing  wall  that  defines  a  bore  into  which  the  spherical  plain  bearing  is  positioned.  
【０００８】
In  the  preferred  embodiment  of  the  present  invention,  the  outer  periphery  defines  a  first  staking  lip  extending  radially  outwardly  from  the  outer  periphery  at  a  first  distal  end  thereof.    A  second  staking  lip  also  extends  radially  outwardly  from  the  outer  periphery  at  a  second  distal  end  of  the  outer  ring  generally  opposite  the  first  distal  end.
【０００９】
The  present  invention  also  resides  in  a  spherical  plain  bearing  and  housing  wherein  the  above-described  spherical  plain  bearing  is  employed  and  positioned  in  the  housing.    The  housing  includes  a  bore  extending  at  least  part-way  through  the  housing  and  defined  by  a  bore  wall.    The  bore  wall  has  a  first  distal  end  defining  a  first  staking  feature  and  a  second  distal  end  generally  opposite  the  first  distal  end.    The  second  distal  end  defines  a  second  staking  feature.    The  spherical  plain  bearing  is  positioned  in  the  bore  so  that  the  first  and  second  shoulders  pressingly  engage  the  bore  wall  and  the  first  staking  lip  is  positioned  adjacent  the  first  staking  feature  and  the  second  staking  lip  is  positioned  adjacent  the  second  staking  feature.    To  further  secure  the  spherical  plain  bearing  of  the  present  invention,  the  first  staking  lip  is  moved  into  contact  with  the  first  staking  feature  and  the  second  staking  lip  is  brought  into  contact  with  the  second  staking  feature  thereby  retaining  the  spherical  plain  bearing  within  the  bore.
【発明を実施するための最良の形態】
【００１０】
As  shown  in  FIG.  3  a  spherical  plain  bearing  and  housing  assembly  generally  designated  by  the  reference  number  30  includes  an  inner  ring  32  and  an  outer  ring  34  that  are  symmetrical  about  center  line  35.    A  shaft  member  36  is  shown  extending  through  the  spherical  plain  bearing  30  for  illustrative  purposes  only  and  can  constitute  any  number  of  different  components,  such  as,  but  not  limited  to  a  tie  rod  or  hinge  pin.    The  outer  ring  34  includes  first  and  second  shoulder  portions,  36  and  38  respectively,  that  pressingly  engage  a  bore  wall  40  defined  by  a  housing  42.  The  first  and  second  shoulders,  36  and  38,  respectively,  are  each  defined  by  the  diameters  D2  and  D3  respectively.    In  the  illustrated  embodiment,  the  diameters  D2  and  D3  are  substantially  equal,  however,  the  present  invention  is  not  limited  in  this  regard  as  the  diameters  D2  and  D3  can  be  different  without  departing  from  the  broader  aspects  of  the  present  invention.      Extending  between  the  first  and  second  shoulders,  36  and  38  respectively,  is  a  portion  of  the  outer  ring  34  defined  by  a  diameter  D1.    Diameter  D1  is  smaller  than  diameters  D2  and  D3  thereby  causing  only  the  first  and  second  shoulders,36  and  38  respectively,  to  be  in  contact  with  the  bore  wall  40.    
【００１１】
In  the  illustrated  embodiment,  the  length  of  the  outer  ring  34  is  defined  by  L1  and  the  distances  between  the  first  shoulder  36  and  the  second  shoulder  38  is  defined  by  L2.    As  shown,  the  length  of  the  first  and  second  shoulders,  36  and  38  respectively,  is  approximately  equal  and  thereby  defined  by  the  equation  (L1-L2)/2.    However,  the  present  invention  is  not  limited  in  this  regard  as  the  first  and  second  shoulders,  36  and  38,  respectively,  can  be  of  differing  lengths  without  departing  from  the  broader  aspects  of  the  present  invention.
【００１２】
The  outer  ring  34  also  defines  first  and  second  staking  lips,  44,  and  46  respectively,  located  at  generally  opposite  distal  ends  of  the  outer  ring.    In  the  illustrated  embodiment,  the  outer  ring  34  further  defines  first  and  second  facing  surfaces,  48  and  50  respectively,  that  each  define  a  circumferential  groove  52  that  in  part  defines  the  first  and  second  staking  lips.    In  the  illustrated  embodiment,  the  circumferential  grooves  52  are  “V”  shaped;  however,  the  present  invention  is  not  limited  in  this  regard.
【００１３】
The  housing  42,  defines  a  pair  of  relieved  surfaces  54  of  a  complimentary  shape  to  the  first  and  second  staking  lips,  44  and  46.    Upon  assembly  of  the  spherical  plain  bearing  30  into  the  housing  42,  the  first  and  second  staking  lips,  44  and  46,  are  bent  or  moved  into  contact  with  the  relieved  surfaces  54,  thereby  releasably  retaining  the  outer  ring  34  in  position  relative  to  the  housing  42.    In  the  illustrated  embodiment,  the  relieved  surfaces  54  are  shown  in  the  form  of  chamfers,  however,  the  present  invention  is  not  limited  in  this  regard  as  such  staking  features  can  be  of  any  practical  shape  that  is  complimentary  to  the  shape  of  the  above-described  staking  lips.
【００１４】
Although  this  invention  has  been  shown  and  described  with  respect  to  the  detailed  embodiments  thereof,  it  will  be  understood  by  those  of  skill  in  the  art  that  various  changes  may  be  made  and  equivalents  may  be  substituted  for  elements  and  steps  thereof  without  departing  from  the  scope  of  the  invention.    In  addition,  modifications  may  be  made  to  adapt  a  particular  situation  to  the  teachings  of  the  invention  without  departing  from  the  essential  scope  thereof.    Therefore,  it  is  intended  that  the  invention  not  be  limited  to  the  particular  embodiments  disclosed  in  the  above  detailed  description,  but  that  the  invention  will  include  all  embodiments  falling  within  the  scope  of  the  above  description.
【図面の簡単な説明】
【００１５】
FIG.  1  is  a  partial  cross-sectional  view  of  a  prior  art  tie  rod  assembly  used  in  a  log  skidder,  employing  a  spherical  plain  bearing.
FIG.  2  is  a  partial  cross-sectional  view  of  a  prior  art  hinge  pin  assembly  for  a  haul  truck,  employing  a  spherical  plain  bearing.
FIG.  3  is  a  partial  cross-sectional  view  of  a  spherical  plain  bearing  and  housing  in  accordance  with  the  present  invention.
1.      A  spherical  plain  bearing  comprising:
an  inner  ring;  
an  outer  ring,  said  outer  ring  having  a  length  and  an  outer  periphery  defining  a  first  shoulder  located  at  one  end  along  said  length  and  a  second  shoulder  located  at  a  second  end  along  said  length,  said  second  end  being  generally  opposite  said  first  end,  said  first  and  second  shoulders  being  sized  to  pressingly  engage  a  housing  wall,  said  housing  wall  defining  a  bore  into  which  said  spherical  plain  bearing  is  positioned;  
said  outer  periphery  further  defining  a  first  staking  lip  extending  radially  outwardly  from  said  outer  periphery  at  a  first  distal  end  thereof  and  a  second  staking  lip  extending  radially  outwardly  from  said  outer  periphery  at  a  second  distal  end  thereof  generally  opposite  said  first  distal  end.
2.    A  spherical  plain  bearing  as  defined  by  claim  1  wherein:
said  outer  ring  defines  a  first  face  surface  and  a  second  face  surface  generally  opposite  and  substantially  parallel  to  said  first  face  surface;
said  first  face  surface  defines  a  first  circumferential  groove  that  at  least  partially  defines  said  first  staking  lip;  and
said  second  face  surface  defines  a  second  circumferential  groove  that  at  least  partially  defines  said  second  staking  lip.
3.    A  spherical  plain  bearing  as  defined  by  claim  1  wherein  said  inner  ring  is  extended.
4.    A  spherical  plain  bearing  as  defined  by  claim  1  wherein  said  first  shoulder  defines  a  first  length  and  said  second  shoulder  defines  a  second  length,  said  first  and  second  lengths  being  substantially  equal.  
5.      A  spherical  plain  bearing  as  defined  by  claim  4  wherein  said  length  of  said  outer  ring  is  defined  by  L1  and  a  distance  between  said  first  and  second  shoulders  is  defined  by  L2;  and  wherein
said  first  and  second  shoulder  lengths,  respectively  are  each  defined  by,  (L1-L2)/2.
6.    A  spherical  plain  bearing  as  defined  by  claim  1  wherein:
a  first  diameter  defined  by  said  first  shoulder  is  substantially  equal  to  a  second  diameter  defined  by  said  second  shoulder.  
7.    A  spherical  plain  bearing  as  defined  by  claim  2  wherein  said  first  and  second  grooves  are  “V”  shaped.
8.    A  spherical  plain  bearing  and  housing  comprising:
a  spherical  plain  bearing  including:
an  inner  ring;  
an  outer  ring,  said  outer  ring  having  a  length  and  an  outer  periphery  defining  a  first  shoulder  located  at  one  end  along  said  length  and  a  second  shoulder  located  at  a  second  end  along  said  length,  said  second  end  being  generally  opposite  said  first  end;  
said  outer  periphery  further  defining  a  first  staking  lip  extending  radially  outwardly  from  said  outer  periphery  at  a  first  distal  end  thereof  and  a  second  staking  lip  extending  radially  outwardly  from  said  outer  periphery  at  a  second  distal  end  thereof  generally  opposite  said  first  distal  end;
a  housing  comprising:
a  bore  extending  at  least  part-way  through  the  housing,  said  bore  being  defined  by  a  bore  wall;
said  bore  wall  having  a  first  distal  end  defining  a  first  staking  feature  and  a  second  distal  end  generally  opposite  said  first  distal  end,  said  second  distal  end  defining  a  second  staking  feature;  and  wherein
said  spherical  plain  bearing  is  positioned  in  said  bore  so  that  said  first  and  second  shoulders  pressingly  engage  said  bore  wall  and  said  first  staking  lip  is  positioned  adjacent  said  first  staking  feature  and  said  second  staking  lip  is  positioned  adjacent  said  second  staking  feature  so  that  upon  assembly  of  said  spherical  plain  bearing  and  said  housing,  said  first  staking  lip  is  moved  into  contact  with  said  first  staking  feature  and  said  second  staking  lip  is  brought  into  contact  with  said  second  staking  feature  thereby  retaining  said  spherical  plain  bearing  within  said  bore.
9.    A  spherical  plain  bearing  and  housing  as  defined  by  claim  8  wherein:
said  first  and  second  staking  features  are  chamfers;  and
a  mating  surface  defined  by  each  of  said  first  and  second  staking  lips  is  complementarily  shaped  relative  to  said  first  and  second  chamfers.
10.   A  spherical  plain  bearing  as  defined  by  claim  8  wherein  said  first  shoulder  defines  a  first  length  and  said  second  shoulder  defines  a  second  length,  said  first  and  second  lengths  being  substantially  equal.
11.   A  spherical  plain  bearing  as  defined  by  claim  10  wherein  said  length  of  said  outer  ring  is  defined  by  L1  and  a  distance  between  said  first  and  second  shoulders  is  defined  by  L2;  and  wherein
said  first  and  second  shoulder  lengths,  LS1  and  LS2  respectively  are  each  defined  by  (L1-L2)/2.
12.   A  spherical  plain  bearing  as  defined  by  claim  8  wherein:
a  first  diameter  defined  by  said  first  shoulder  is  substantially  equal  to  a  second  diameter  defined  by  said  second  shoulder.    
13.   A  spherical  plain  bearing  as  defined  by  claim  8  wherein:
said  outer  ring  defines  a  first  face  surface  and  a  second  face  surface  generally  opposite  and  substantially  parallel  to  said  first  face  surface;
said  first  face  surface  defines  a  first  circumferential  groove  that  at  least  partially  defines  said  first  staking  lip;  and
said  second  face  surface  defines  a  second  circumferential  groove  that  at  least  partially  defines  said  second  staking  lip.
14.   A  spherical  plain  bearing  as  defined  by  claim  13  wherein  said  first  and  second  grooves  are  “V”  shaped.
1.  Abstract
In  a  spherical  plain  bearing,  an  outer  ring  has  a  length  and  an  outer  periphery  defining  a  first  shoulder  located  at  one  end  along  the  length  and  a  second  shoulder  located  at  a  second  end  along  the  length.  The  second  end  is  generally  opposite  the  first  end  with  the  first  and  second  shoulders  being  sized  to  pressingly  engage  a  housing  wall.    The  housing  wall  defines  a  bore  into  which  the  spherical  plain  bearing  is  positioned.  The  outer  periphery  of  the  outer  ring  further  defines  a  first  staking  lip  extending  radially  outwardly  from  the  outer  periphery  at  a  first  distal  end  thereof  and  a  second  staking  lip  extending  radially  outwardly  from  the  outer  periphery  at  a  second  distal  end  thereof  generally  opposite  the  first  distal  end.
2.  Representative  Drawing
Fig.３
【図１】
2007255711.tif 000006
【図２】
2007255711.tif 000007
【図３】
2007255711.tif 000008